(57)【要約】【課題】マイクロホンケーブルの引出し方向の変更を、専用コネクタを取り外すことなく簡単に行うことができるマイクロホンの取付けユニットの提供。【解決手段】基台５１に貫通配置される雄ネジ２３付きの円筒受け具２２と、マイクロホン１２の支持パイプ１３の基端部１４側を支持して円筒受け具２２の一端部２２ａ側へと螺合配置されるロックリング１６と、円筒受け具２２に遊挿させてロックリング１６と基台５１との間に配置されるガイドリング１９とを少なくとも含み、円筒受け具２２には、マイクロホンコードＣの通過を許すスリット２４をその筒方向に設け、ガイドリング１９には、スリット２４と連通してのマイクロホンコードＣの導出が自在な空隙１９ａを設けた。このため、専用コネクタＪを取り外したり再び取り付けるといった煩雑な作業を経ることなく簡単にその引き出し方向を変更することができる。【選択図】図３
2006115064.tif 000002
【特許請求の範囲】
【請求項１】
基台に対し着脱自在に貫通配置される雄ネジ付きの円筒受け具と、
マイクロホンを構成する支持パイプの基端部側を支持して前記円筒受け具の基台上に突出している一端部側へと螺合配置されるロックリングと、
前記円筒受け具に遊挿させて前記ロックリングと前記基台との間に配置されるガイドリングとを少なくとも含み、
前記円筒受け具には、前記支持パイプから引き出されたマイクロホンコードの通過を許すスリットをその筒方向に設け、
前記ガイドリングには、前記スリット側と連通して前記マイクロホンコードの導出が自在な空隙を設けたことを特徴とするマイクロホンの取付けユニット。
【請求項２】
前記ガイドリングは、その厚さがマイクロホンコードの外径と略同等以上である請求項１に記載のマイクロホンの取付けユニット。
【発明の詳細な説明】
【技術分野】
【０００１】
本発明は、いわゆるアダプターマウント方式によりマイクロホンを机などの基台上に取り付ける際に、マイクロホンコードから専用コネクタを取り外すことなく簡単にその引き出し方向を変えることができるマイクロホンの取付けユニットに関する技術である。
【背景技術】
【０００２】
各種の国際会議や講演会場においては、多数の聴衆が話者の声をスピーカを通じて聞き取ることができるようにマイクロホンが使用される。この場合に用いられるマイクロホンとしては、マイクロホンユニット側を話者自身が手で自由に口元へと近付けることができるグースネックと称されるフレキシブルな支持パイプを用いたグースネック型マイクロホン（本明細書では、単に「マイクロホン」という。）が多く用いられている。
【０００３】
ところで、マイクロホン１は、図５および図７に示されているようにその先端側にマイクロホンユニット２が取り付けられてスリムな外観を呈するフレキシブルな支持パイプ３と、目立たない他の場所に設置される図示しないパワーモジュール部とを備えている。
【０００４】
この場合、マイクロホン１を位置固定する設置手法には、基本的に次のような２つの方式がある。そのうちの１つは、図６および図８に示されているように演台や机などの天板を含む基台５１に予め設けてある貫通孔５４に対し、雄ネジ付きの受け具６をその一端部６ａを表面５２側に突出させた状態で挿通配置し、基台５１の裏面５３側に突出している他端部６ｂにワッシャー８を介在させた固定リング７を緊締螺着して位置固定しておく。次いで、マイクロホン１の支持パイプ３がその基端側に備えるフランジ部４を保持するロックリング５を受け具６の一端部６ａ側に緊締螺着する。これにより、マイクロホン１は、基台５１上に位置固定されることになる（本明細書では、この方式を「アダプターマウント方式」という。）。
【０００５】
他の１つは、図示は省略してあるが基台上に予め雌コネクタ部を取り付けておき、該雌コネクタ部に支持パイプの基端側に付設されている雄コネクタ部をワンタッチで差し込むことにより、基台側に固定する方式（本明細書では、この方式を「クイックマウント方式」という。）である。
【０００６】
また、２つの上記設置方式に関しては、マイクロホンの受け具がアダプターマウント方式に対応させたものではあっても、クイックマウント方式でマイクロホンを取り付けることもできるように改良したマイクロホンの取付装置が、特許文献１に示すように本出願人により提案されている。
【特許文献１】特開２０００−１０２０８４号公報
【０００７】
しかし、図５および図６に示すアダプターマウント方式による場合のマイクロホンコードＣの引き回しは、図示しないパワーモジュール部が目立たない他の場所に設置されていることから、従来よりマイクロホン１を設置する状況の如何に応じて、支持パイプ３の基端側に予め設けられている導出口３ａから横方向へと引き出して基台５１上を這わせながら引き出す手法と、図７および図８に示すように設置されるマイクロホン１における支持パイプ３の下方から受け具６を通じて基台５１を貫通させてその下方へと引き出す手法とのいずれかが採用されている。
【０００８】
しかも、アダプターマウント方式による場合、その出荷時には、図５に示すようにマイクロホン１における支持パイプ３の導出口３ａから横方向へとマイクロホンコードＣが引き出された状態となっている。このような出荷時の荷姿のものを図７に示すようにマイクロホン１における支持パイプ３の下方から基台５１を貫通させて引き出すためには、図５ないし図８に示すようにしてマイクロホンコードＣの先端側に予め取り付けられている専用コネクタＪを一旦取り外す必要がある。そして、専用コネクタＪが取り外されたマイクロホンコードＣの先端側は、導出口３ａを介して支持パイプ３内に引き戻され、しかる後に受け具６を通じて基台５１を貫通させ、その裏面５３側へと引き出した後、再び専用コネクタＪを取り付ける必要があった。
【発明の開示】
【発明が解決しようとする課題】
【０００９】
このため、アダプターマウント方式による場合のマイクロホンコードＣの引出し方向の変更は、その都度、マイクロホンコードＣ側からの専用コネクタＪの取り外し、マイクロホンコードＣの導出口３ａからの引き戻しまたは引き出し、専用コネクタＪのマイクロホンコードＣ側への再取り付けといった作業を行わなければならず、それだけ組立て作業を煩雑化する不都合があった。
【００１０】
本発明は、アダプターマウント方式を採用した場合におけるマイクロホンケーブルの引出し方向の変更にみられた上記課題に鑑み、専用コネクタをマイクロホンコードから取り外すことなく簡単にその引き出し方向を変えることができるマイクロホンの取付けユニットを提供することを目的とする。
【課題を解決するための手段】
【００１１】
本発明は、上記目的を達成すべくなされたものであり、基台に対し着脱自在に貫通配置される雄ネジ付きの円筒受け具と、マイクロホンを構成する支持パイプの基端部側を支持して前記円筒受け具の基台上に突出する一端部側へと螺合配置されるロックリングと、前記円筒受け具に遊挿させて前記ロックリングと前記基台との間に配置されるガイドリングとを少なくとも含み、前記円筒受け具には、前記支持パイプから引き出されたマイクロホンコードの通過を許すスリットをその筒方向に設け、前記ガイドリングには、前記スリット側と連通して前記マイクロホンコードの導出が自在な空隙を設けたことを最も主要な特徴とする。また、この場合、前記ガイドリングは、前記マイクロホンコードの外径と略同等以上の厚さを付与して形成するのが望ましい。
【発明の効果】
【００１２】
本発明のうち、請求項１に係る発明によれば、円筒受け具は支持パイプから引き出されたマイクロホンコードの通過を許すスリットを、支持リングは該スリット側と連通してマイクロホンコードが導出される空隙をそれぞれ備えているので、基台の表面上に引き出されているマイクロホンコードを基台の裏面側へとその引出し方向を変更する際には、円筒受け具を基台側から一旦取り出し、スリットを介してマイクロホンコードをその中に取り込み、専用コネクタは基台の貫通口を介して基台下方へと送り込んだ上で、再び円筒受け具を基台側に貫通配置することでその引き出し方向を変更することができるので、専用コネクタの取り外しと再取り付けといった煩雑な作業を経ることなく極めて簡単にその引き出し方向を変更することができる。
【００１３】
また、請求項２に係る発明によれば、支持リングには、マイクロホンコードの外径と略同等以上の厚さが付与されているので、ロックリングを円筒受け具側に緊締螺着した際に支持リングと当接しても、円筒受け具のスリットから引き出されたマイクロホンコードは基台側へと強く押し付けられることなく空隙を介して円滑に基台上へと導出することができる。
【発明を実施するための最良の形態】
【００１４】
図１は、本発明の一例についての要部を分解して示す説明図であり、図２（ａ）は、図１中に示されるガイドリングの平面図を、図２（ｂ）は、図１中に示される円筒受け具の平面図をそれぞれ示す。また、図３は、本発明によるマイクロホンコードの第１の引出し例についての要部拡大断面図を、図４は、本発明によるマイクロホンコードの第２の引出し例についての要部拡大断面図をそれぞれ示す。
【００１５】
これらの図によれば、マイクロホン１２の取付けユニット１１は、基台５１に設けられた貫通孔５４に対し着脱自在に貫通配置される雄ネジ２３付きの円筒受け具２２と、マイクロホン１２を構成する支持パイプ１３の基端部１４側を保持しつつ、円筒受け具２２の基台５１上に突出している一端部２２ａ側へと螺合配置されるロックリング１６と、円筒受け具２２に遊挿させて例えば図３に示されるようにロックリング１６と基台５１との間に配置されるガイドリング１９とを少なくとも含んでその全体が構成されている。
【００１６】
この場合、円筒受け具２２の内径は、マイクロホンコードＣの先端側に取り付けられている専用コネクタＪの挿通を許す適宜の寸法が付与されて形成されている。また、円筒受け具２２は、支持パイプ１３側から引き出されるマイクロホンコードＣの通過を許すスリット２４がその筒方向での全長にわたり形成されている。
【００１７】
しかも、円筒受け具２２自体は、基台５１の貫通孔５４にねじ込まれ、その一端部２２ａが基台５１の表面５２側に所定長突出させ、他端部２２ｂが基台５１の裏面５３側に所定長突出させた状態で仮固定される。そして、円筒受け具２２は、その他端部２２ｂに対しワッシャー２５を介在させた上で、固定リングを螺合し、基台５１の裏面５３側に圧接するに至るまで緊締することで、基台５１に対し確実に固定されることになる。
【００１８】
一方、スリムな外観を呈してフレキシブルに形成されている支持パイプ１３は、その先端側に図５に示すマイクロホンユニット２と同様な図示しないマイクロホンユニットが取り付けられており、他の場所に設置される図示しないパワーモジュール部側とマイクロホンコードＣが備える専用コネクタＪを介して接続することができるようになっている。
【００１９】
また、支持パイプ１３の基端部１４は、その端面側に円筒受け具２２の外径と略一致する外径が付与されたフランジ部１４を設けて形成されている。
【００２０】
また、ロックリング１６は、支持パイプ１３の基端部１４の挿通を許す口径の円孔１７ａをその中心位置に有する天板部１７と、フランジ部１４の収容が可能な周壁部１８とで断面略コ字形を呈する円筒状に形成されており、該周壁部１８の内周面には、円筒受け具２２の雄ネジ２３と螺合する雌ネジ１８ａが刻入されている。
【００２１】
ガイドリング１９は、マイクロホンコードＣの外径と略同等以上の厚さが付与されて形成されいるほか、基台５１の表面５２側にマイクロホンコードＣを引き出す際に円筒受け具２２のスリット２４と連通してこれを導出することができる空隙１９ａが形成されている。
【００２２】
次に、上記構成からなる本発明の作用につき、図３に示すマイクロホンコードＣの引き出し方向を図４に示す引き出し方向へと変更する場合を例に説明する。なお、マイクロホン１２における支持パイプ１３は、図３に示されているようにその基端部１４側を図示しない本体側から分離することができる構造が付与されて形成されている。
【００２３】
この場合、基台５１に予め固定されている円筒受け具２２は、その表面５２側に一端部２２ａを突出させ、他端部２２ｂに固定リング２６の雌ネジ２６ａを螺合させて緊締することで基台５１に予め固定されている。
【００２４】
一方、支持パイプ１３の基端部１４は、ロックリング１６の周壁部１８内にそのフランジ部１５を位置させて円孔１７ａから突出するように配置した上で、雌ネジ１８ａを一端部２２ａ側に螺合させることで円筒受け具２２側に取り付けることができる。
【００２５】
このとき、支持パイプ１３の基端部１４下方へと引き出されているマイクロホンコードＣは、円筒受け具２２のスリット２４を介して横方向へと引き回すことができるので、ガイドリング１９の空隙１９ａを介して導出させることができる。
【００２６】
つまり、マイクロホンコードＣは、円筒受け具２２のスリット２４とガイドリング１９の空隙１９ａとを経させることで基台５１の表面５２側へと引き出すことができることになる。しかも、ガイドリング１９には、マイクロホンコードＣの外径と略同等以上の厚さが付与されているので、ロックリング１６を円筒受け具２２側に緊締螺着した際にガイドリング１９と圧接することになっても、円筒受け具２２のスリット２４から引き出されたマイクロホンコードＣは基台５１側へと強く押し付けられることなく、空隙１９ａを介して円滑に基台５１の表面５２側へと導出することができることになる。図３は、このような状態のもとで円筒受け具２２の一端部２２ａ側にロックリング１６を緊締螺着して支持パイプ１３側を取り付けた状態を示すものである。
【００２７】
一方、図３に示すように基台５１の表面５２側へと引き出されているマイクロホンコードＣを基台５３の裏面５３側の下方へと引き出し方向を変える場合には、固定リング２６を緩めて円筒受け具２２の他端部２２ｂ側からワッシャー２５共々取り外して円筒受け具２２を基台５１の表面５２側へと取り出す。
【００２８】
こうすることにより、マイクロホンコードＣは、ガイドリング１９の空隙１９ａと円筒受け具２２のスリット２４とを経て直ちに円筒受け具２２内へと送り込むことができる。つまり、マイクロホンコードＣは、専用コネクタＪを取り外すことなく直ちに円筒受け具２２内に配置することができることになる。
【００２９】
しかも、専用コネクタＪは、基台５１の貫通孔５４を介してその裏面５３側へと送り込むことができるので、裏面５３側に専用コネクタＪを送り込んだ上で、円筒受け具２２を貫通孔５４に貫通配置し、その他端部２２ｂにワッシャー２５を介して固定リング２６を緊締螺着することで、図４に示すようにマイクロホンコードＣを基台５３の裏面５３側の下方へと引き出すことができる。
【００３０】
したがって、マイクロホンコードＣは、専用コネクタＪの取り外しと再取り付けといった煩雑な作業を経ることなく極めて簡単にその引き出し方向を変更することができることになる。
【００３１】
以上は、本発明を図示例に基づいて説明したものであり、その具体的な構成はこれに限定されるものではない。例えば、ガイドリング１９は、複数個を重ね合わせることでマイクロホンコードＣの外径と略同等以上の厚さとなるようにしてもよい。また、支持パイプ１３とロックリング１６とは、必要に応じ一体に形成しておくこともできる。
【図面の簡単な説明】
【００３２】
【図１】本発明の一例についての要部を分解して示す説明図。
【図２】（ａ）は、図１中に示されるガイドリングの平面図を、、図１中に示される円筒受け具の平面図をそれぞれ示す。
【図３】本発明によるマイクロホンコードの第１の引出し例についての要部拡大断面図。
【図４】本発明によるマイクロホンコードの第２の引出し例についての要部拡大断面図。
【図５】従来からあるマイクロホンにおけるマイクロホンコードの引き出し方向についての一例を一部を省略して示す説明図。
【図６】図５に示す例を１８０度回転させて示す要部拡大断面図。
【図７】従来からあるマイクロホンにおけるマイクロホンコードの引き出し方向についての他例を一部を省略して示す説明図。
【図８】図７に示す例を１８０度回転させて示す要部拡大断面図。
【符号の説明】
【００３３】
１１  取付けユニット
１２  マイクロホン
１３  支持パイプ
１４  基端部
１５  フランジ部
１６  ロックリング
１７  天板部
１７ａ  円孔
１８  周壁部
１８ａ  雌ネジ
１９  ガイドリング
１９ａ  空隙
２２  円筒受け具
２２ａ  一端部
２２ｂ  他端部
２３  雄ネジ
２４  スリット
２５  ワッシャー
２６  固定リング
２６ａ  雌ネジ
５１  基台
５２  表面
５３  裏面
５４  貫通孔
Ｃ  マイクロホンコード
Ｊ  専用コネクタ
【図１】
2006115064.tif 000003
【図２】
2006115064.tif 000004
【図３】
2006115064.tif 000005
【図４】
2006115064.tif 000006
【図５】
2006115064.tif 000007
【図６】
2006115064.tif 000008
【図７】
2006115064.tif 000009
【図８】
2006115064.tif 000010